(57)【要約】【課題】特定の暗騒音の影響を除いた騒音測定を簡単に行い得るようにする。【解決手段】フィルタ１０２ａ，１０２ｂ，１０２ｃは、夫々、マイクロホン１０１の出力音声信号ＳＡより特定の暗騒音、例えばカエルの声、セミ等の虫の声、魚群の水切音に対応した所定帯域の周波数成分ｆａ，ｆｂ，ｆｃを抽出する。接続スイッチ１０３ａ，１０３ｂ，１０３ｃは、夫々、周波数成分ｆａ，ｆｂ，ｆｃのうち、一部または全部を選択的に取り出す。測定部１０５は、音声信号ＳＡより接続スイッチ１０３ａ，１０３ｂ，１０３ｃで選択的に取り出された周波数成分が差し引かれて得られた音声信号ＳＡ′に基づいて、騒音の音圧レベルを求める。ユーザは、騒音測定に影響する暗騒音が除かれるように、例えば測定点における暗騒音に基づいて、接続スイッチのオンオフを操作する。【選択図】        図１
2006189367.tif 000002
【特許請求の範囲】
【請求項１】
マイクロホンと、
上記マイクロホンの出力音声信号よりそれぞれ特定の暗騒音に対応した所定帯域の周波数成分を抽出する所定個数のフィルタと、
上記所定個数のフィルタでそれぞれ抽出された周波数成分のうち一部または全部を選択的に取り出すスイッチ手段と、
上記マイクロホンの出力音声信号より上記スイッチ手段で選択的に取り出された周波数成分を差し引く減算器と、
上記減算器より出力される音声信号に基づいて騒音の音圧レベルを求める測定部と、
上記測定部で求められた騒音の音圧レベルを表示する表示器と
を備えることを特徴とする騒音測定装置。
【請求項２】
上記所定個数のフィルタでそれぞれ抽出された周波数成分の信号レベルを検出し、所定レベル以上の周波数成分のみを選択するように上記スイッチ手段を制御するスイッチ制御部をさらに備える
ことを特徴とする請求項１に記載の騒音測定装置。
【請求項３】
上記所定個数のフィルタの一部または全部は、抽出帯域を可変できる
ことを特徴とする請求項１に記載の騒音測定装置。
【発明の詳細な説明】
【技術分野】
【０００１】
この発明は、例えば発電所、変電所などの騒音を測定する騒音測定装置に関する。詳しくは、この発明は、マイクロホンの出力音声信号より特定の暗騒音に対応した所定帯域の周波数成分を選択的に差し引きできる構成としたことによって、特定の暗騒音の影響を除いた騒音測定を簡単に行い得るようにした騒音測定装置に係るものである。
【背景技術】
【０００２】
発電所のタービン、ボイラ、発電機や変電所の変圧器などから騒音が発生する。従来、この騒音を低減するため、低騒音機器の採用、防音室の設置などの対策がなされている。
【０００３】
一方、発電所と行政で締結された環境保全協定に基づき、敷地境界において昼、夜に騒音測定を行って、基準値に適合していることの確認が行われている。この基準値は、暗騒音も含めた規制値となっている。
【０００４】
季節、時期、あるいは時間帯によっては、騒音測定の際に、発電所等の騒音よりも自然界の生物による暗騒音（例えば、カエルの声、セミ等の虫の声、魚群の水切音など）が大きくなり、騒音の測定値が基準値を越えることがあった。
【０００５】
特許文献１には、暗騒音の影響を除いて騒音源による騒音を正確に測定する技術が記載されている。この技術は、騒音の周波数スペクトルの各周波数成分のうち暗騒音の音圧レベルの低い周波数成分を検出し、測定対象となる騒音源による騒音のうち当該検出した周波数の成分を測定するものである。
【０００６】
【特許文献１】特開２００１−１５９５５９号公報
【発明の開示】
【発明が解決しようとする課題】
【０００７】
上述した特許文献１に記載される技術では、全ての暗騒音を除去対象とするものであって、騒音源からの距離の異なる３点以上の測定点で同時に騒音の音圧レベルを周波数別に測定し、その測定値から音圧レベルの周波数別の距離減衰量を求め、この音圧レベルの周波数別の距離減衰量の対数と騒音源からの距離の対数が比例する周波数成分を見い出すものであり、コンピュータを含む大がかりな騒音測定システムが必要となり、暗騒音の影響を除いた騒音測定を手軽に行うことができない。
【０００８】
この発明の目的は、特定の暗騒音の影響を除いた騒音測定を簡単に行い得るようにすることにある。
【課題を解決するための手段】
【０００９】
この発明に係る騒音測定装置は、マイクロホンと、このマイクロホンの出力音声信号よりそれぞれ特定の暗騒音に対応した所定帯域の周波数成分を抽出する所定個数のフィルタと、この所定個数のフィルタでそれぞれ抽出された周波数成分のうち一部または全部を選択的に取り出すスイッチ手段と、マイクロホンの出力音声信号よりスイッチ手段で選択的に取り出された周波数成分を差し引く減算器と、この減算器より出力される音声信号に基づいて騒音の音圧レベルを求める測定部と、この測定部で求められた騒音の音圧レベルを表示する表示器とを備えるものである。
【００１０】
この発明において、マイクロホンの出力音声信号には、騒音源からの騒音の周波数成分と、暗騒音（騒音源からの騒音以外の騒音）の周波数成分とが含まれている。このマイクロホンの出力音声信号から、所定個数のフィルタで、それぞれ、特定の暗騒音、例えばカエルの声、セミ等の虫の声、魚群の水切音などに対応した所定帯域の周波数成分が抽出される。
【００１１】
所定個数のフィルタで抽出された周波数成分のうち一部または全部がスイッチ手段により選択的に取り出される。この場合、どのフィルタで抽出された周波数成分を取り出すかは、例えば測定点における暗騒音に基づいてユーザがスイッチ手段を操作することで行われる。これにより、ユーザが選択した暗騒音の影響を除いた騒音測定を行うことができる。
【００１２】
なお、所定個数のフィルタで抽出された周波数成分の信号レベルを検出し、所定レベル以上の周波数成分のみを選択するようにスイッチ手段を制御するスイッチ制御部をさらに備えるようにしてもよい。この場合には、所定個数のフィルタにそれぞれ対応した暗騒音のうち、音圧レベルの高い全ての暗騒音の影響を除いた騒音測定を、ユーザの選択手間を必要とせずに行うことができる。
【００１３】
マイクロホンの出力音声信号からスイッチ手段で取り出された周波数成分が差し引かれることで、特定の暗騒音の周波数成分が除かれた音声信号が得られる。そして、この音声信号に基づいて騒音の音圧レベルが求められ、その音圧レベルが表示器に表示される。この騒音の音圧レベルは、特定の暗騒音の影響を除いたものとなる。
【００１４】
このように、マイクロホンの出力音声信号より特定の暗騒音に対応した所定帯域の周波数成分を選択的に差し引きできる構成としたものであり、特定の暗騒音があるときは、マイクロホンの出力音声信号よりその特定の暗騒音に対応した所定帯域の周波数成分を差し引くようにでき、その特定の暗騒音の影響を除いた騒音測定を簡単に行うことができる。
【００１５】
また、マイクロホンの出力音声信号より特定の暗騒音に対応した所定帯域の周波数成分を選択的に差し引きできる構成としたものであり、特定の暗騒音がないとき、マイクロホンの出力音声信号よりその特定の暗騒音に対応した所定帯域の周波数成分を差し引かないようにでき、マイクロホンの出力音声信号より無用な周波数成分の除去を行うことによる騒音測定の精度低下を回避できる。
【発明の効果】
【００１６】
この発明によれば、マイクロホンの出力音声信号より特定の暗騒音に対応した所定帯域の周波数成分を選択的に差し引きできる構成としたものであり、特定の暗騒音の影響を除いた騒音測定を簡単に行うことができる。
【発明を実施するための最良の形態】
【００１７】
この発明の第１の実施の形態について説明する。図１は、第１の実施の形態としての騒音測定装置１００の構成を示している。この騒音測定装置１００は、発電所や変電所の騒音を測定する際に使用されるものである。
【００１８】
この騒音測定装置１００は、マイクロホン１０１と、フィルタ（帯域通過フィルタ）１０２ａ〜１０２ｃと、接続スイッチ１０３ａ〜１０３ｃと、減算器１０４とを有している。マイクロホン１０１は、測定点における音を集音する。フィルタ１０２ａ〜１０２ｃは、それぞれ、マイクロホン１０１の出力音声信号ＳＡより特定の暗騒音に対応した所定帯域の周波数成分を抽出する。
【００１９】
例えば、フィルタ１０２ａは暗騒音としてのカエルの声に対応した、例えば図２のＦｂの帯域の周波数成分ｆａを抽出し、フィルタ１０２ｂは暗騒音としてのセミ等の虫の声に対応した、例えば図２のＦｃの帯域の周波数成分ｆｂを抽出し、さらにフィルタ１０２ｃは暗騒音としての魚群の水切音に対応した、例えば図２のＦｄの帯域の周波数成分ｆｃを抽出する。なお、図２のＦａの帯域は発電所、変電所の騒音の主たる周波数帯域を示している。
【００２０】
接続スイッチ１０３ａ〜１０３ｃは、それぞれ、フィルタ１０２ａ〜１０２ｃでそれぞれ抽出された周波数成分ｆａ〜ｆｃを取り出すためのものである。これら接続スイッチ１０３ａ〜１０３ｃはスイッチ手段を構成しており、これら接続スイッチ１０３ａ〜１０３ｃにより、フィルタ１０２ａ〜１０２ｃでそれぞれ抽出された周波数成分ｆａ〜ｆｃのうち一部または全部を選択的に取り出すことができる。これら接続スイッチ１０３ａ〜１０３ｃのオンオフはユーザにより操作される。ユーザは、測定点における暗騒音に基づいて、その影響を除去したい暗騒音に対応した所定帯域の周波数成分を抽出するフィルタに接続されている接続スイッチをオンとし、その他の接続スイッチをオフとする。
【００２１】
減算器１０４は、マイクロホン１０１の出力音声信号ＳＡより接続スイッチ１０３ａ〜１０３ｃで選択的に取り出された周波数成分を差し引き、マイクロホン１０１の出力音声信号ＳＡより特定の暗騒音に対応した所定帯域の周波数成分が除去された音声信号ＳＡ′を取得する。
【００２２】
また、騒音測定装置１００は、測定部１０５と、表示器１０６とを有している。測定部１０５は、減算器１０４より出力される音声信号ＳＡ′に基づいて、騒音の音圧レベルを求める。表示器１０６は、例えばＬＣＤ(Liquid Crystal Display)などで構成され、測定部１０５で求められた騒音の音圧レベルを表示する。
【００２３】
図１に示す騒音測定装置１００の動作を説明する。
マイクロホン１０１で測定点における音が集音される。このマイクロホン１０１の出力音声信号ＳＡは減算器１０４に供給される。また、このマイクロホン１０１の出力音声信号ＳＡは、フィルタ１０２ａ〜１０２ｃの入力側に供給される。フィルタ１０２ａ〜１０２ｃでは、それぞれ、特定の暗騒音に対応した所定帯域の周波数成分が抽出される。
【００２４】
この場合、フィルタ１０２ａでは、暗騒音としてのカエルの声に対応した帯域Ｆｂの周波数成分ｆａが抽出される。また、フィルタ１０２ｂでは、暗騒音としてのセミ等の虫の声に対応した帯域Ｆｃの周波数成分ｆｂが抽出される。また、フィルタ１０２ｃでは、暗騒音としての魚群の水切音に対応した帯域Ｆｄの周波数成分ｆｃが抽出される。
【００２５】
フィルタ１０２ａ〜１０２ｃで抽出された周波数成分ｆａ〜ｆｃの一部または全部は、接続スイッチ１０３ａ〜１０３ｃにより選択的に取り出されて減算器１０４に供給される。すなわち、接続スイッチ１０３ａがオン状態にあるとき、フィルタ１０２ａで抽出された周波数成分ｆａが取り出されて減算器１０４に供給される。また、接続スイッチ１０３ｂがオン状態にあるとき、フィルタ１０２ｂで抽出された周波数成分ｆｂが取り出されて減算器１０４に供給される。また、接続スイッチ１０３ｃがオン状態にあるとき、フィルタ１０２ｃで抽出された周波数成分ｆｃが取り出されて減算器１０４に供給される。
【００２６】
減算器１０４では、マイクロホン１０１の出力音声信号ＳＡより接続スイッチ１０３ａ〜１０３ｃで取り出された周波数成分が差し引かれ、マイクロホン１０１の出力音声信号ＳＡより特定の暗騒音に対応した所定帯域の周波数成分が除去された音声信号ＳＡ′が取得される。この場合、接続スイッチ１０３ａがオン状態にあるときは、減算器１０４からは、マイクロホン１０１の出力音声信号ＳＡからカエルの声に対応した帯域Ｆｂの周波数成分ｆａが除去された音声信号ＳＡ′が得られる。また、接続スイッチ１０３ｂがオン状態にあるときは、減算器１０４からは、マイクロホン１０１の出力音声信号ＳＡからセミ等の虫の声に対応した帯域Ｆｃの周波数成分ｆｂが除去された音声信号ＳＡ′が得られる。また、接続スイッチ１０３ｃがオン状態にあるときは、減算器１０４からは、マイクロホン１０１の出力音声信号ＳＡから魚群の水切音に対応した帯域Ｆｃの周波数成分ｆｃが除去された音声信号ＳＡ′が得られる。
【００２７】
減算器１０４から出力される音声信号ＳＡ′は測定部１０５に供給され、この測定部１０５では音声信号ＳＡ′に基づいて騒音の音圧レベルが求められる。そして、この求められた音圧レベルの表示データが表示器１０６に供給され、この表示器１０６に騒音の音圧レベルが表示される。
【００２８】
図１に示す騒音測定装置１００によれば、マイクロホン１０１の出力音声信号ＳＡより特定の暗騒音（カエルの声、セミ等の虫の声、魚群の水切音）に対応した所定帯域の周波数成分ｆａ〜ｆｃを選択的に差し引きできる構成としたものであり、特定の暗騒音があるときは、マイクロホン１０１の出力音声信号ＳＡよりその特定の暗騒音に対応した所定帯域の周波数成分を差し引くようにでき、その特定の暗騒音の影響を除いた騒音測定を簡単に行うことができる。
【００２９】
すなわち、接続スイッチ１０３ａをオン状態とすることで、マイクロホン１０１の出力音声信号ＳＡより暗騒音としてのカエルの声に対応した帯域Ｆｂの周波数成分ｆａを差し引くようにでき、カエルの声の影響を除いた騒音測定を簡単に行うことができる。また、接続スイッチ１０３ｂをオン状態とすることで、マイクロホン１０１の出力音声信号ＳＡより暗騒音としてのセミ等の虫の声に対応した帯域Ｆｃの周波数成分ｆｂを差し引くようにでき、虫の声の影響を除いた騒音測定を簡単に行うことができる。また、接続スイッチ１０３ｃをオン状態とすることで、マイクロホン１０１の出力音声信号ＳＡより暗騒音としての魚群の水切音に対応した帯域Ｆｄの周波数成分ｆｃを差し引くようにでき、魚群の水切音の影響を除いた騒音測定を簡単に行うことができる。
【００３０】
また、図１に示す騒音測定装置１００によれば、マイクロホン１０１の出力音声信号ＳＡより特定の暗騒音（カエルの声、セミ等の虫の声、魚群の水切音）に対応した所定帯域の周波数成分ｆａ〜ｆｃを選択的に差し引きできる構成としたものであり、特定の暗騒音がないとき、マイクロホン１０１の出力音声信号ＳＡよりその特定の暗騒音に対応した所定帯域の周波数成分を差し引かないようにでき、マイクロホン１０１の出力音声信号ＳＡより無用な周波数成分の除去を行うことによる騒音測定の精度低下を回避できる。
【００３１】
図２のＦａは発電所、変電所の騒音の主たる帯域を示しているが、発電所、変電所の騒音の周波数成分は帯域Ｆｂ，Ｆｃ，Ｆｄにも及ぶことがある。その場合、カエルの声、セミ等の虫の声、魚群の水切音などの暗騒音がないのにフィルタ１０２ａ，１０２ｂ，１０２ｃで抽出された周波数成分ｆａ，ｆｂ，ｆｃをマイクロホン１０１の出力音声信号ＳＡから差し引くものとすれば、発電所、変電所の騒音を構成する周波数成分の一部を除くことになり、騒音測定の精度が低下したものとなる。
【００３２】
次に、この発明の第２の実施の形態について説明する。図３は、第２の実施の形態としての騒音測定装置１００Ａの構成を示している。この図３において、図１と対応する部分には同一符号を付し、その詳細説明は省略する。
【００３３】
この騒音測定装置１００Ａは、スイッチ制御部１０７を有している。このスイッチ制御部１０７は、フィルタ１０２ａ〜１０２ｃでそれぞれ抽出された周波数成分ｆａ〜ｆｃの信号レベルを検出し、所定レベル以上の周波数成分のみを選択するように、接続スイッチ１０３ａ〜１０３ｃのオンオフを制御する。
【００３４】
この場合、フィルタ１０２ａで抽出された周波数成分ｆａの信号レベルが所定レベル以上となるときは、接続スイッチ１０３ａがオン状態とされ、この周波数成分ｆａが減算器１０４に供給される。また、フィルタ１０２ｂで抽出された周波数成分ｆｂの信号レベルが所定レベル以上となるときは、接続スイッチ１０３ｂがオン状態とされ、この周波数成分ｆｂが減算器１０４に供給される。また、フィルタ１０２ｃで抽出された周波数成分ｆｃの信号レベルが所定レベル以上となるときは、接続スイッチ１０３ｃがオン状態とされ、この周波数成分ｆｃが減算器１０４に供給される。
【００３５】
この騒音測定装置１００Ａのその他は、図１に示す騒音測定装置１００と同様に構成され、同様の動作をする。
【００３６】
図３に示す騒音測定装置１００Ａによれば、フィルタ１０２ａ〜１０２ｃでそれぞれ抽出された周波数成分ｆａ〜ｆｃの信号レベルに応じて接続スイッチ１０３ａ〜１０３ｃのオンオフが制御される。そのため、ユーザが接続スイッチ１０３ａ〜１０３ｃのオンオフを操作して出力音声信号ＳＡから差し引く周波数成分を選択することなく、音圧レベルの高い暗騒音に対応した周波数成分が自動的に選択されてマイクロホン１０１の出力音声信号ＳＡから差し引かれる。したがって、フィルタ１０２ａ〜１０２ｃに対応した暗騒音（カエルの声、セミ等の虫の声、魚群の水切音）のうち、音圧レベルの高い全ての暗騒音の影響を除いた騒音測定を、ユーザの選択手間を必要とせずに行うことができる。
【００３７】
なお、上述の実施の形態においては、発電所や変電所の騒音を測定するためのものであり、暗騒音としてカエルの声、セミ等の虫の声、魚群の水切音を挙げたものであるが、除去すべき暗騒音はこれに限定されるものではない。この場合、除去すべき暗騒音の種類数に対応したフィルタおよび接続スイッチを設けることで、上述の実施の形態と同様に、特定の暗騒音の影響を除いた騒音測定を簡単に行うことができる。
【００３８】
また、上述実施の形態においては、図２に示すように、カエルの声、セミ等の虫の声、魚群の水切音の帯域Ｆｂ，Ｆｃ，Ｆｄがこの順に周波数が高くなっていき、かつこれらの帯域Ｆｂ，Ｆｃ，Ｆｄが重ならないものとして説明した。しかし、これは一例であって、それぞれの帯域の順が図２の順でない場合もあり、またそれぞれの帯域の一部が重なる場合もあるが、その場合であってもこの発明を同様に適用できることは勿論である。
【００３９】
また、上述実施の形態においては、フィルタ１０２ａ〜１０２ｃの抽出帯域が固定であるものを示したが、所定個数のフィルタの一部または全部については、その抽出帯域を可変できる構成としてもよい。この場合、各測定点の固有の暗騒音の周波数帯域を予め測定し、抽出帯域を可変できるフィルタの抽出帯域をその測定された暗騒音の周波数帯域に調整して用いることができ、各測定点における固有の暗騒音の影響をも良好に除くことができる。
【産業上の利用可能性】
【００４０】
この発明は、特定の暗騒音の影響を除いた騒音測定を簡単に行い得るものであり、例えば発電所や変電所等の騒音を測定する際に適用できる。
【図面の簡単な説明】
【００４１】
【図１】第１の実施の形態としての騒音測定装置の構成を示すブロック図である。
【図２】騒音および暗騒音の周波数帯域の一例を示す図である。
【図３】第２の実施の形態としての騒音測定装置の構成を示すブロック図である。
【符号の説明】
【００４２】
１００，１００Ａ・・・騒音測定装置、１０１・・・マイクロホン、１０２ａ〜１０２ｃ・・・フィルタ、１０３ａ〜１０３ｃ・・・接続スイッチ、１０４・・・減算器、１０５・・・測定部、１０６・・・表示器、１０７・・・スイッチ制御部
【図１】
2006189367.tif 000003
【図２】
2006189367.tif 000004
【図３】
2006189367.tif 000005